(57)【要約】【課題】共有のディスプレイを用いる複数人による会議等の参加者が手元にある指示装置から、その共有のディスプレイに表示されている電子情報に対して操作をすることができるようにした機能指示解析システムを提供する。【解決手段】機能指示解析システムの画像入力手段は、発光装置の発光によって発生する像を含めた画像を入力し、位置情報抽出手段は、前記画像入力手段によって入力された画像から、前記発光によって発生する像の位置情報を抽出し、機能指示抽出手段は、前記画像入力手段によって入力された画像から、前記発光によって発生する像の形態を抽出することによって、操作者による機能指示を抽出し、機能指示出力手段は、前記位置情報抽出手段によって抽出された位置情報および前記機能指示抽出手段によって抽出された機能指示を出力する。【選択図】図１
2008033389.tif 000002
【特許請求の範囲】
【請求項１】
操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段と、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記画像入力手段によって入力された画像から、前記発光手段による発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示システム。
【請求項２】
操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段
を具備することを特徴とする機能指示装置。
【請求項３】
発光装置の発光によって発生する像を含めた画像を入力する画像入力手段と、
前記画像入力手段によって入力された画像から、前記発光によって発生する像の位置情報を抽出する位置情報抽出手段と、
前記画像入力手段によって入力された画像から、前記発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示解析システム。
【請求項４】
画像を照射する画像照射装置と、
前記画像照射装置に対して、画像を供給する計算機と、
操作者の指示によって前記画像照射装置によって照射される画像に対して像を発生させる指示装置と、
前記画像照射装置によって照射される画像と前記像を発生させる指示装置によって発生させられた像とを撮影する撮影手段と、
前記撮影手段によって撮影された画像から前記計算機に対する指示を抽出する機能指示解析装置
を具備し、
前記指示装置は、
操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段
を具備し、
前記機能指示解析装置は、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記画像入力手段によって入力された画像から、前記発光手段による発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とするプレゼンテーションシステム。
【請求項５】
操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段と、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記機能指示送信手段によって送信された機能指示を受信する機能指示受信手段と、
前記機能指示受信手段によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示システム。
【請求項６】
操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段
を具備することを特徴とする機能指示装置。
【請求項７】
発光指示送信装置による発光によって発生する像を含めた画像を入力する画像入力手段と、
前記画像入力手段によって入力された画像から、前記発光手段による発光によって発生する像の位置情報を抽出する位置情報抽出手段と、
前記発光指示送信装置によって送信された機能指示を受信する機能指示受信手段と、
前記発光指示送信装置によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示解析システム。
【請求項８】
画像を照射する画像照射装置と、
前記画像照射装置に対して、画像を供給する計算機と、
操作者の指示によって前記画像照射装置によって照射される画像に対して像を発生させる指示装置と、
前記画像照射装置によって照射される画像と前記像を発生させる指示装置によって発生させられた像とを撮影する撮影手段と、
前記撮影手段によって撮影された画像から前記計算機に対する指示を抽出する機能指示解析装置
を具備し、
前記指示装置は、
操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段と、
を具備し、
前記機能指示解析装置は、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記機能指示送信手段によって送信された機能指示を受信する機能指示受信手段と、
前記機能指示受信手段によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とするプレゼンテーションシステム。
【請求項９】
計算機に、
発光装置の発光によって発生する像を含めた画像を入力する画像入力機能と、
前記画像入力機能によって入力された画像から、前記発光によって発生する像の位置情報を抽出する位置情報抽出機能と、
前記画像入力機能によって入力された画像から、前記発光によって発生する像の形態を抽出することによって、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラム。
【請求項１０】
計算機に、
発光指示送信装置による発光によって発生する像を含めた画像を入力する画像入力機能と、
前記画像入力機能によって入力された画像から、前記発光機能による発光によって発生する像の位置情報を抽出する位置情報抽出機能と、
前記発光指示送信装置によって送信された機能指示を受信する機能指示受信機能と、
前記発光指示送信装置によって受信された機能指示に応じて、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラム。
【発明の詳細な説明】
【技術分野】
【０００１】
本発明は、機能指示システム、機能指示装置、機能指示解析システム、プレゼンテーションシステムおよび機能指示解析プログラムに関する。
【背景技術】
【０００２】
会議、講義、講演、発表等では、共有の大型ディスプレイに予め作成した電子文書を表示等するプレゼンテーションシステムが利用される。プレゼンテーションシステムとしては、コンピュータを用いて電子文書から生成した画像を、液晶プロジェクタ等を用いて表示させるコンピュータ利用のシステムがある。
【０００３】
これらに関する技術として、例えば、特許文献１には、スクリーン上の画像に指示された輝点の位置及び点滅パターンを検出することを課題とし、スクリーン上の画像に指示された輝点を含んだ画像が撮像され、画像処理装置は、撮像された画像を画素値で閾値処理を施すことにより、輝点の位置を決定し、また、画像処理装置は、１フレームのマージンを持たせられた輝点の点滅パターンの単位周期に、現在のフレームラインと１フレーム前（または１フレーム後）のフレームラインの画素値との論理積をとって２値化することにより輝点の点滅パターンを検出することが開示されている。
また、例えば、特許文献２には、大画面スクリーンを用いた場合にも、参照個所の指示が可能で、自然な操作性を得ることができるプレゼンテーション技術を提供することを課題とし、スクリーン上に画像を表示して、ポインティング装置により前記画像上を光点で指示するプレゼンテーションシステムにおいて、撮像手段により撮像された画像の中から、ポインティング装置により指示された光点を抽出し、抽出された光点の形状を認識し、ポインティング装置により指示されている位置を画像認識手段により検出し、この位置に画像生成手段によりシンボルを合成した画像を生成し、このシンボルが合成された画像を画像表示手段によりスクリーン上に表示することが開示されている。
【特許文献１】特開２０００−０８１９５０号公報
【特許文献２】特開２００３−０３６１４２号公報
【発明の開示】
【発明が解決しようとする課題】
【０００４】
しかしながら、共有のディスプレイを用いる複数人による会議等の参加者が手元にある指示装置から、その共有のディスプレイに表示されている電子情報に対する操作をすることがなかった。
【課題を解決するための手段】
【０００５】
本発明の要旨とするところは、次の各項の発明に存する。
［１］  操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段と、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記画像入力手段によって入力された画像から、前記発光手段による発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示システム。
【０００６】
［２］  操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段
を具備することを特徴とする機能指示装置。
【０００７】
［３］  発光装置の発光によって発生する像を含めた画像を入力する画像入力手段と、
前記画像入力手段によって入力された画像から、前記発光によって発生する像の位置情報を抽出する位置情報抽出手段と、
前記画像入力手段によって入力された画像から、前記発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示解析システム。
【０００８】
［４］  画像を照射する画像照射装置と、
前記画像照射装置に対して、画像を供給する計算機と、
操作者の指示によって前記画像照射装置によって照射される画像に対して像を発生させる指示装置と、
前記画像照射装置によって照射される画像と前記像を発生させる指示装置によって発生させられた像とを撮影する撮影手段と、
前記撮影手段によって撮影された画像から前記計算機に対する指示を抽出する機能指示解析装置
を具備し、
前記指示装置は、
操作者の操作によって機能の指示を入力する機能指示入力手段と、
前記機能指示入力手段によって入力された機能指示に応じて、発光の形態を指示する発光指示手段と、
前記発光指示手段による指示によって発光する発光手段
を具備し、
前記機能指示解析装置は、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記画像入力手段によって入力された画像から、前記発光手段による発光によって発生する像の形態を抽出することによって、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とするプレゼンテーションシステム。
【０００９】
［５］  操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段と、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記機能指示送信手段によって送信された機能指示を受信する機能指示受信手段と、
前記機能指示受信手段によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示システム。
【００１０】
［６］  操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段
を具備することを特徴とする機能指示装置。
【００１１】
［７］  発光指示送信装置による発光によって発生する像を含めた画像を入力する画像入力手段と、
前記画像入力手段によって入力された画像から、前記発光手段による発光によって発生する像の位置情報を抽出する位置情報抽出手段と、
前記発光指示送信装置によって送信された機能指示を受信する機能指示受信手段と、
前記発光指示送信装置によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とする機能指示解析システム。
【００１２】
［８］  画像を照射する画像照射装置と、
前記画像照射装置に対して、画像を供給する計算機と、
操作者の指示によって前記画像照射装置によって照射される画像に対して像を発生させる指示装置と、
前記画像照射装置によって照射される画像と前記像を発生させる指示装置によって発生させられた像とを撮影する撮影手段と、
前記撮影手段によって撮影された画像から前記計算機に対する指示を抽出する機能指示解析装置
を具備し、
前記指示装置は、
操作者の操作によって機能の指示を入力する機能指示入力手段と、
前記機能指示入力手段によって入力された機能指示を送信する機能指示送信手段と、
前記機能指示入力手段によって入力された機能指示に応じて、発光を指示する発光指示手段と、
前記発光指示手段による指示によって発光する発光手段と、
を具備し、
前記機能指示解析装置は、
前記発光手段による発光によって発生する像を含めた画像を入力する画像入力手段と、
前記画像入力手段によって入力された画像から、前記発光手段による発光によって発生する像の位置情報を抽出する位置情報抽出手段と、
前記機能指示送信手段によって送信された機能指示を受信する機能指示受信手段と、
前記機能指示受信手段によって受信された機能指示に応じて、操作者による機能指示を抽出する機能指示抽出手段と、
前記位置情報抽出手段によって抽出された位置情報および前記機能指示抽出手段によって抽出された機能指示を出力する機能指示出力手段
を具備することを特徴とするプレゼンテーションシステム。
【００１３】
［９］  計算機に、
発光装置の発光によって発生する像を含めた画像を入力する画像入力機能と、
前記画像入力機能によって入力された画像から、前記発光によって発生する像の位置情報を抽出する位置情報抽出機能と、
前記画像入力機能によって入力された画像から、前記発光によって発生する像の形態を抽出することによって、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラム。
【００１４】
［１０］  計算機に、
発光指示送信装置による発光によって発生する像を含めた画像を入力する画像入力機能と、
前記画像入力機能によって入力された画像から、前記発光機能による発光によって発生する像の位置情報を抽出する位置情報抽出機能と、
前記発光指示送信装置によって送信された機能指示を受信する機能指示受信機能と、
前記発光指示送信装置によって受信された機能指示に応じて、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラム。
【発明の効果】
【００１５】
請求項１に係る機能指示システムによれば、本構成を有していない場合に比較して、共有のディスプレイを用いる複数人による会議等の参加者が手元にある指示装置から、その共有のディスプレイに表示されている電子情報に対する操作をするよう制御することができるという効果を有する。
【００１６】
請求項２に係る機能指示装置によれば、本構成を有していない場合に比較して、共有のディスプレイを用いる複数人による会議等の参加者が手元にある機能指示装置から、その共有のディスプレイに表示されている電子情報に対して操作することが可能になるという効果を有する。
【００１７】
請求項３に係る機能指示解析システムによれば、本構成を有していない場合に比較して、共有のディスプレイを用いる複数人による会議等の参加者が手元にある指示装置から、その共有のディスプレイに表示されている電子情報に対する操作を受けることができるという効果を有する。
【００１８】
請求項４に係るプレゼンテーションシステムによれば、本構成を有していない場合に比較して、共有のディスプレイを用いる複数人による会議等の参加者が手元にある指示装置から、その共有のディスプレイに表示されている電子情報に対する操作をすることができるという効果を有する。
【００１９】
請求項５に係る機能指示システムによれば、本構成を有していない場合に比較して、共有のディスプレイを用いる複数人による会議等の参加者が手元にある指示装置から、その共有のディスプレイに表示されている電子情報に対する操作をするよう制御することができるという効果を有する。
【００２０】
請求項６に係る機能指示装置によれば、本構成を有していない場合に比較して、共有のディスプレイを用いる複数人による会議等の参加者が手元にある機能指示装置から、その共有のディスプレイに表示されている電子情報に対して操作することが可能になるという効果を有する。
【００２１】
請求項７に係る機能指示解析システムによれば、本構成を有していない場合に比較して、共有のディスプレイを用いる複数人による会議等の参加者が手元にある指示装置から、その共有のディスプレイに表示されている電子情報に対する操作を受けることができるという効果を有する。
【００２２】
請求項８に係るプレゼンテーションシステムによれば、本構成を有していない場合に比較して、共有のディスプレイを用いる複数人による会議等の参加者が手元にある指示装置から、その共有のディスプレイに表示されている電子情報に対する操作をすることができるという効果を有する。
【００２３】
請求項９に係る機能指示解析プログラムによれば、本構成を有していない場合に比較して、共有のディスプレイを用いる複数人による会議等の参加者が手元にある指示装置から、その共有のディスプレイに表示されている電子情報に対する操作を受けることができるという効果を有する。
【００２４】
請求項１０に係る機能指示解析プログラムによれば、本構成を有していない場合に比較して、共有のディスプレイを用いる複数人による会議等の参加者が手元にある指示装置から、その共有のディスプレイに表示されている電子情報に対する操作を受けることができるという効果を有する。
【発明を実施するための最良の形態】
【００２５】
以下、図面に基づき本発明の好適な各種の実施の形態を説明する。
図１〜図６は、本発明の第１の実施の形態を示している。
なお、図面等を用いて説明しているモジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能に対応しているが、実装においては、１モジュールを１プログラムで構成してもよいし、複数モジュールを１プログラムで構成してもよく、逆に１モジュールを複数プログラムで構成してもよい。また、複数モジュールは１つの計算機によって実行されてもよいし、分散または並列環境における計算機によって１モジュールが複数の計算機で実行されてもよい。また、以下、「接続」とは物理的な接続の他、論理的な接続を含む。
また、システムとは、複数の計算機、ハードウェア、装置等がネットワーク等で接続されて構成されるほか、１つの計算機によって実現される場合も含まれる。
【００２６】
以下、説明する実施の形態は、主に会議（講義、講演、発表等を含む）に用いられることを例示する。
まず、図２を用いて、実施の形態（第１の実施の形態、第２の実施の形態）であるプレゼンテーションシステムを用いる場面での全体の概要例を説明する。
全体の構成は、スクリーン１１、レーザポインタ１２Ａ、レーザポインタ１２Ｂ、プロジェクタ１３、ＰＣ(パーソナルコンピュータ)１４、カメラ１５、ポインタ解析モジュール１６を有している。なお、レーザポインタは、２つに限らずより多くのレーザポインタがあってもよく、１つであってもよい。
【００２７】
プロジェクタ１３は、スクリーン１１に画像を照射する装置である。照射する画像は、ＰＣ１４により供給される。プロジェクタ１３とＰＣ１４とは、ケーブル等で接続されている。
スクリーン１１は、プロジェクタ１３によって照射される画像を映す映写幕やＰＣ１４の画像を映し出すことの出来る液晶ディスプレイやプラズマディスプレイ等であっても良い。
【００２８】
レーザポインタ１２Ａ、レーザポインタ１２Ｂは、プロジェクタ１３を使用する会議の場で、いわゆる指し棒の代わりに使用するものである。スクリーン１１（壁等を含む）に向けてボタンを押すと、その向けた先のスクリーン１１にレーザ光線による光の像が表示される。
レーザポインタ１２Ａ、レーザポインタ１２Ｂとしては、例えばペン型のレーザポインタ、テレビのリモコン型のレーザポインタがある。そして、機能の指示を、ペン型のレーザポインタにあっては、ボタンの押し込み（いったん押し込むとそれが解除されるまでその状態を保つ）によって指示するもの、ボタンの押し下げ（操作者の指によってボタンが押し下げられると機能を指示することになるが、指を離すと解除される）によって指示するもの、軸を回転させることによって指示するもの、等がある。また、テレビのリモコン型のレーザポインタにあっては、ボタンの押し下げによって指示するもの等がある。
【００２９】
ＰＣ１４は、プロジェクタ１３、ポインタ解析モジュール１６と接続されており、ＰＣ１４内のプレゼンテーションソフトウェアによって生成された画像をプロジェクタ１３に供給する。また、ＰＣ１４を操作する操作者（多くの場合は発表者）の指示、またはポインタ解析モジュール１６から供給される機能指示に応じて、その際、動作しているプレゼンテーションソフトウェアに指示を与える。ここでの指示とは、プレゼンテーションソフトウェアが解釈でき、その指示に応じて動作するものであり、具体的には、例えば、ページ送り、スクロール等である。
カメラ１５は、スクリーン１１を撮影するものである。つまり、スクリーン１１にはプロジェクタ１３から照射されている画像およびレーザポインタ１２Ａ、レーザポインタ１２Ｂにより発生した像が表示されているので、カメラ１５は、これらの画像をデジタル画像として撮影するものである。なお、カメラ１５は、静止画を撮影するデジタルカメラであってもよいし、動画を撮影するビデオカメラであってもよい。カメラ１５は、ポインタ解析モジュール１６と接続されており、撮影したデジタル画像をポインタ解析モジュール１６に供給する。
【００３０】
ポインタ解析モジュール１６は、カメラ１５、ＰＣ１４と接続されており、カメラ１５が撮影した画像からレーザポインタ１２Ａまたはレーザポインタ１２Ｂが生成した像を抽出する。その抽出した像を解釈してＰＣ１４内で動作しているプレゼンテーションソフトウェアに指示を与える。これについては、後述する。なお、ポインタ解析モジュール１６は、図２では、独立した筐体を有していて、カメラ１５、ＰＣ１４と接続されているが、ポインタ解析モジュール１６は、ＰＣ１４またはカメラ１５に内蔵されていてもよい。
【００３１】
図１を用いて、プレゼンテーションシステムの第１の実施の形態の一構成例を説明する。このプレゼンテーションシステムは、スクリーン１１、ポインタ操作モジュール１２１、受光モジュール１５１、画像処理モジュール１６１、位置情報抽出モジュール１６２、機能指示抽出モジュール１６４、機能指示管理モジュール１６５を有している。さらに、ポインタ操作モジュール１２１は、発光モジュール１２２、発光指示モジュール１２３、機能指示入力モジュール１２５を有している。なお、ポインタ操作モジュール１２１は、図２を用いて説明したレーザポインタ１２Ａ、レーザポインタ１２Ｂ内にある。同様に、受光モジュール１５１はカメラ１５内にあり、画像処理モジュール１６１、位置情報抽出モジュール１６２、機能指示抽出モジュール１６４、機能指示管理モジュール１６５はポインタ解析モジュール１６内にある。ポインタ操作モジュール１２１は、本実施の形態ではレーザポインタ１２Ａ、レーザポインタ１２Ｂの主要な部分であり、操作者の指示に従って、レーザ光線等をスクリーン１１に照射し、それによってできる像を変化させるものである。
【００３２】
機能指示入力モジュール１２５は、発光指示モジュール１２３と接続されており、レーザポインタ１２Ａ、レーザポインタ１２Ｂを扱う操作者とのユーザインタフェースの機能を有している。つまり、前述したレーザポインタ１２Ａ、レーザポインタ１２Ｂの操作者によるボタン操作を発光指示モジュール１２３に伝える。具体的には、どのボタンが押されたかをボタンの識別子として発光指示モジュール１２３に伝達する。
発光指示モジュール１２３は、発光モジュール１２２を制御して、レーザ光線等を照射する。その際、機能指示入力モジュール１２５から伝達された識別子に応じて、発光の形態、つまりレーザ光線等によって生成される像の形態（形状、色、模様、発光周期等）を変更する。また、発光モジュール１２２は、レーザ光線の他に赤外線をも照射可能である。レーザ光線は人間にとって可視光であり、スクリーン１１上に生成される像も可視であるが、赤外線は人間にとって不可視光であり、スクリーン１１上に生成される像は人間の目には見えないが、カメラ１５で撮影した場合には、その赤外線による像を撮影することが可能である。なお、発光モジュール１２２は、レーザ光線のみを照射するものであってもよい。赤外線をも照射可能であるものの場合は、操作者によって指示できる機能が増加することになる。また、レーザポインタ１２Ａ、レーザポインタ１２Ｂの識別子等もレーザ光線または赤外線によって生成することが可能である。つまり、レーザ光線によって生成される像と赤外線によって生成される像の組合せによって、機能、識別子等を指定することができる。
【００３３】
受光モジュール１５１は、カメラ１５内にあり、スクリーン１１を撮影する。前述したようにスクリーン１１には、プロジェクタ１３によって照射された画像とレーザポインタ１２Ａ、レーザポインタ１２Ｂによって生成された像が映し出されている。受光モジュール１５１は、これをデジタル画像として撮影する。その撮影したデジタル画像を接続されているポインタ解析モジュール１６内の画像処理モジュール１６１に渡す。
画像処理モジュール１６１は、受光モジュール１５１、位置情報抽出モジュール１６２、機能指示抽出モジュール１６４と接続されている。受光モジュール１５１から渡されたデジタル画像に対して、まずアフィン変換を行う。つまり、撮影した画像は、カメラ１５とスクリーン１１の位置関係によるが、一般的には、長方形であるスクリーン１１にもかかわらず、撮影されたスクリーン１１は台形等になっている場合がある。これを本来の長方形に戻すための画像変換を施す。そして、アフィン変換されたデジタル画像を時系列に格納する。ある時刻におけるデジタル画像、その後のデジタル画像を蓄積する。
【００３４】
そして、その蓄積したデジタル画像の差分を検出する。デジタル画像に差分が発生するのは、プロジェクタ１３によって照射された画像が変化した場合（例えば、プレゼンテーションソフトウェアによって次ページが表示された場合等）、レーザポインタ１２Ａまたはレーザポインタ１２Ｂによってレーザ光線等が発光された場合である。
そこで、その差分画像が領域の大部分を占めている場合は、プロジェクタ１３によって照射された画像が変化した場合であると認識する。これをカウントし、時間とともに格納する。これを後に解析することによって、会議においてどのようにプレゼンテーションソフトウェアが用いられたかを知ることが可能になる。
また、差分画像が一定領域以下の面積である場合は、レーザポインタ１２Ａまたはレーザポインタ１２Ｂによってレーザ光線等が発光された場合であると認識する。そして、その差分画像の形態を抽出する。つまり、その差分画像の色彩、形状、大きさ等を抽出する。これは、レーザポインタ１２Ａまたはレーザポインタ１２Ｂによって生成された像であり、これは、レーザポインタ１２Ａまたはレーザポインタ１２Ｂの操作者による操作によって生成されたものである。
画像処理モジュール１６１は、この差分画像の抽出結果を、位置情報抽出モジュール１６２、機能指示抽出モジュール１６４に渡す。この結果は、時系列として発生するので、位置情報抽出モジュール１６２、機能指示抽出モジュール１６４へも時系列で渡すことになる。
【００３５】
位置情報抽出モジュール１６２は、画像処理モジュール１６１から渡された差分画像からスクリーン１１における位置情報を抽出する。この位置情報は、ＰＣ１４内のプレゼンテーションソフトウェアに対して、あたかもＰＣ１４のマウス等のポインティングデバイスによって指定された位置情報と同様であるように扱われる。つまり、レーザポインタ１２Ａ、レーザポインタ１２Ｂを用いて、プレゼンテーションソフトウェアに対して、カーソルを移動させることが可能になる。また、抽出するのはスクリーン１１における位置情報ではなく、プロジェクタ１３によって照射された画像内における位置情報であってもよい。抽出結果である位置情報を機能指示管理モジュール１６５へ渡す。この場合も、機能指示管理モジュール１６５へ時系列で渡すことになる。
【００３６】
機能指示抽出モジュール１６４は、画像処理モジュール１６１から渡された差分画像から、レーザポインタ１２Ａまたはレーザポインタ１２Ｂの操作者が指示した機能等を抽出する。ここでの差分画像は、レーザ光線等によって生成されたスクリーン１１のパターンである。この抽出は次のように行う。
差分画像をパターンマッチング等の画像認識技術を用いて、その形態を認識する。そして、その形態が意味している機能等を抽出する。そのために、機能指示抽出モジュール１６４は、レーザ光線によって生成されたスクリーン１１のパターンとレーザポインタ識別子との対応表、レーザ光線の色と機能との対応表を格納している。例えば、図５は、レーザ光線によって生成されたスクリーン１１のパターンとレーザポインタ識別子との対応表の一例であり、図６は、レーザ光線の色と機能との対応表の一例である。
図５を用いて、レーザ光線によって生成されたスクリーン１１のパターンとレーザポインタ識別子との対応表を説明する。レーザポインタが複数ある場合は、それぞれのレーザポインタを識別できるように、レーザポインタ識別子１は点をレーザ光線でスクリーン１１上に描き、同様に、レーザポインタ識別子２は横線、レーザポインタ識別子３は縦線、レーザポインタ識別子４は円を描くように定められている。これは、発光指示モジュール１２３でそれぞれのレーザポインタがどのようなパターンを生成するかを予め定めておいている。つまり、差分画像の形状を認識することで、どのレーザポインタによる指示であるかが判明する。
【００３７】
図６を用いて、レーザ光線の色と機能との対応表を説明する。この対応表は、差分画像の色彩が赤である場合は、スクロール機能が指示されていることを示し、差分画像の色彩が緑である場合は、コピー機能が指示されていることを示している。この対応についても、それぞれのレーザポインタにおいて、どのようなボタン（機能）が押されたら、どの色のレーザ光を発生させるかが発光指示モジュール１２３によって設定されている。
また、図５、図６の対応表に限定されるものではなく、例えば、レーザ光線の他に、赤外線をも用いた場合は、図５と同様に赤外線との対応表をも機能指示抽出モジュール１６４は格納しておくことができる。その場合は、赤外線によるパターンの情報も増えるので、より多くの情報を識別することが可能となる。なお、赤外線によるパターンは、カメラ１５で撮影した場合は、白色で撮影され、レーザ光線によるパターンと区別することが可能である。
抽出結果である機能指示に関する情報（例えば、機能、レーザポインタの識別子）を機能指示管理モジュール１６５へ渡す。この場合も、機能指示管理モジュール１６５へ時系列で渡すことになる。
【００３８】
機能指示管理モジュール１６５は、位置情報抽出モジュール１６２、機能指示抽出モジュール１６４と接続されており、位置情報抽出モジュール１６２からの位置情報と機能指示抽出モジュール１６４からの機能指示に関する情報を時系列として受け取る。
その後、位置情報抽出モジュール１６２からの位置情報と機能指示抽出モジュール１６４からの機能指示に関する情報とを対応付けて、ＰＣ１４へ出力する。つまり、レーザポインタ１２Ａ、レーザポインタ１２Ｂを用いたプレゼンテーションソフトウェアへの指示を行うことになる。プレゼンテーションソフトウェアでは、その指示に基づいて処理を実行する。
【００３９】
図３を用いて、ポインタ解析モジュール１６で用いられる計算機のハードウェア構成例を説明する。なお、このハードウェア構成例は、他の実施の形態においても共通であるので、他の実施の形態の説明においては説明を省略する。計算機のハードウェアは、ＣＰＵ３１、ＲＡＭ３２、ＲＯＭ３３、インタフェース３４、画像メモリ３５、ＨＤ３６、ユーザインタフェース３７、バス３９を有している。これは、専用機としての計算機であってもよいし、一般的なパーソナルコンピュータ等であってもよい。
ＣＰＵ３１（Ｃｅｎｔｒａｌ  Ｐｒｏｃｅｓｓｉｎｇ  Ｕｎｉｔ）は、上述の実施の形態において説明した各種のモジュール、すなわち、画像処理モジュール１６１、位置情報抽出モジュール１６２、機能指示抽出モジュール１６４等の各モジュールの実行シーケンスを記述したコンピュータ・プログラムに従った処理を実行する制御部である。
【００４０】
ＲＡＭ３２（Ｒａｎｄｏｍ  Ａｃｃｅｓｓ  Ｍｅｍｏｒｙ）は、ＣＰＵ３１の実行において使用するプログラムや、その実行において適宜変化するパラメータ等を格納する。ＲＯＭ３３（Ｒｅａｄ  Ｏｎｌｙ  Ｍｅｍｏｒｙ）は、ＣＰＵ３１が使用するプログラムや演算パラメータ等を格納する。
画像メモリ３５は、受光モジュール１５１から受け取ったデジタル画像を格納し、また画像処理モジュール１６１による画像処理の対象を格納する。なお、画像メモリ３５は、一般的にはＲＡＭによって構成され、専用メモリとしても良く、またＲＡＭ３２によって代替することも可能である。
【００４１】
ユーザインタフェース３７は、操作者により操作される入力デバイス、操作者に対して表示する出力デバイス等とのインタフェースである。例えば、入力デバイスとして、キーボード、マウス等のポインティングデバイスがある。出力デバイスとしては、液晶表示装置またはＣＲＴ（Ｃａｔｈｏｄｅ  Ｒａｙ  Ｔｕｂｅ）等のディスプレイなどがある。
ＨＤ３６（Ｈａｒｄ  Ｄｉｓｋ）は、ＣＰＵ３１によって実行するプログラムや情報を記録または再生させる。また、画像メモリ３５に格納されているデジタル画像などが格納される。さらに、その他の各種のデータ処理プログラム等、各種コンピュータ・プログラムが格納される。
インタフェース３４は、外部接続機器を接続するポートであり、ＵＳＢ、ＩＥＥＥ１３９４等の接続部を持つ。例えば、インタフェース３４は、ポインタ解析モジュール１６とＰＣ１４、カメラ１５とを接続する。
そして、これらの各部位はバス３９により相互に接続されている。
【００４２】
なお、図３に示すハードウェア構成は、１つの構成例を示すものであり、本実施の形態は、図３に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図３に示すシステムが複数互いに通信回線によって接続されていて互いに協調動作するようにしてもよい。また、ＰＣ１４、カメラ１５に組み込まれていてもよく、その場合、ＣＰＵ３１、ＲＡＭ３２等は、ＰＣ１４、カメラ１５内のものを用いてもよい。
【００４３】
次に、本実施の形態における作用・働き（動作）を説明する。
図４を用いて、第１の実施の形態であるプレゼンテーションシステムの処理例を説明する。
まず、会議において、説明者がＰＣ１４を用いて、プロジェクタ１３からスクリーン１１上にプレゼンテーション用の文書を照射している。そして、会議出席者は、説明者の他に複数人の出席者がいるとする。出席者もレーザポインタを有しており、出席者によりプレゼンテーションソフトウェアの操作が行える。
【００４４】
ステップＳ４０１では、１人または複数の出席者がレーザポインタ１２Ａまたはレーザポインタ１２Ｂを用いて、スクリーン１１に対して、像を生成する。例えば、出席者がスクリーン１１に表示されているページの前のページを表示させたい等の場合が該当する。なお、同時に複数人によるレーザポインタの操作があってもよい。例えば、レーザポインタ１２Ａ（レーザポインタの識別子は１）を用いて、赤色のレーザ光線が発光されたとする。
ステップＳ４０２では、カメラ１５によってスクリーン１１が撮影される。
ステップＳ４０３では、カメラ１５は撮影したデジタル画像を画像処理モジュール１６１へ出力する。
ステップＳ４０４では、画像処理モジュール１６１では、対象となっているデジタル画像に対して、台形から長方形への変換処理等を施した後、差分画像を抽出する。上記の例では、ここでの差分画像は赤い点画像が抽出されている。
ステップＳ４０５では、位置情報抽出モジュール１６２は、差分画像の位置情報を抽出する。
【００４５】
ステップＳ４０６では、機能指示抽出モジュール１６４は、レーザポインタ１２Ａまたはレーザポインタ１２Ｂによって生成されたスクリーン１１上の像の形態を抽出する。つまり、図５、図６を用いて説明した対応表を用いて、レーザポインタ１２Ａまたはレーザポインタ１２Ｂの操作者による機能指示に関する情報を抽出する。上記の例では、レーザポインタの識別子は１であり、スクロールの指示であることがここで判明する。
ステップＳ４０７では、機能指示管理モジュール１６５は、ステップＳ４０５、ステップＳ４０６で抽出された位置情報と機能指示に関する情報とを対応させて、レーザポインタの識別子毎にまとめてＰＣ１４に対して出力する。上記の例では、ある位置にある文書に対して、レーザポインタの識別子１によるスクロールの指示であることを示す情報をＰＣ１４に出力する。
この後、ＰＣ１４は、プレゼンテーションソフトウェアに対して、レーザポインタの識別子毎にまとめられた位置情報と機能指示に関する情報とを渡し、その情報に従って、プレゼンテーションソフトウェアが動作する。その結果は、プロジェクタ１３を介して、スクリーン１１に照射される。上記の例では、指定された位置にある文書に対して、スクロール処理を行う。スクロールする際に、レーザポインタの識別子１による指示であることをスクリーン１１上に表示するようにしてもよい。
【００４６】
図７、図８は、本発明の第２の実施の形態を示している。なお、第１の実施の形態と同種の部位には同一符号を付し重複した説明を省略する。
図７を用いて、プレゼンテーションシステムの第２の実施の形態の一構成例を説明する。このプレゼンテーションシステムは、スクリーン１１、ポインタ操作モジュール１２１、受光モジュール１５１、画像処理モジュール１６１、位置情報抽出モジュール１６２、機能指示受信モジュール１６３、機能指示抽出モジュール１６４、機能指示管理モジュール１６５を有している。さらに、ポインタ操作モジュール１２１は、発光モジュール１２２、発光指示モジュール１２３、機能指示送信モジュール１２４、機能指示入力モジュール１２５を有している。なお、ポインタ操作モジュール１２１は、図２を用いて説明したレーザポインタ１２Ａ、レーザポインタ１２Ｂ内にある。同様に、受光モジュール１５１はカメラ１５内にあり、画像処理モジュール１６１、位置情報抽出モジュール１６２、機能指示受信モジュール１６３、機能指示抽出モジュール１６４、機能指示管理モジュール１６５はポインタ解析モジュール１６内にある。ポインタ操作モジュール１２１は、本実施の形態ではレーザポインタ１２Ａ、レーザポインタ１２Ｂの主要な部分であり、操作者の指示に従って、レーザ光線等をスクリーン１１に照射し、それによってできる像を変化させるものであり、さらに、機能指示に関する情報を機能指示受信モジュール１６３に対して送信する。
【００４７】
機能指示入力モジュール１２５は、発光指示モジュール１２３、機能指示送信モジュール１２４と接続されており、レーザポインタ１２Ａ、レーザポインタ１２Ｂを扱う操作者とのユーザインタフェースの機能を有している。つまり、前述したレーザポインタ１２Ａ、レーザポインタ１２Ｂの操作者によるボタン操作を発光指示モジュール１２３、機能指示送信モジュール１２４に伝える。具体的には、レーザ光線等を発光することを発光指示モジュール１２３に伝達し、どのボタンが押されたかをボタンの識別子として機能指示送信モジュール１２４に伝達する。
発光指示モジュール１２３は、発光モジュール１２２を制御して、レーザ光線等を照射する。
機能指示送信モジュール１２４は、機能に関する情報を機能指示受信モジュール１６３に対して送信する。この際の送信は、有線でもよいが、無線であることがレーザポインタの操作上好ましい。より具体的には、ＩｒＤＡ（Ｉｎｆｒａｒｅｄ  Ｄａｔａ  Ａｓｓｏｃｉａｔｉｏｎ）規格に基づく赤外線による通信手段等を用いてもよい。
【００４８】
画像処理モジュール１６１は、前記第１の実施の形態と同様であるが、受光モジュール１５１、位置情報抽出モジュール１６２と接続されているのみである。
機能指示受信モジュール１６３は、機能指示送信モジュール１２４により送信された機能に関する情報を受信して、機能指示抽出モジュール１６４に渡す。
【００４９】
次に、本実施の形態における作用・働き（動作）を説明する。
図８を用いて、第２の実施の形態であるプレゼンテーションシステムの処理例を説明する。第１の実施の形態での処理例と同じステップは、図４のステップ番号を引用する。
ステップＳ８０１は、ステップＳ４０１と同様である。
ステップＳ８０２では、機能指示送信モジュール１２４が機能に関する情報（機能指示、レーザポインタの識別子）を無線により機能指示受信モジュール１６３へ向けて送信する。
ステップＳ８０３では、機能指示受信モジュール１６３がステップＳ８０２で送信された情報を受信する。
ステップＳ８０４は、ステップＳ４０２と同様である。
ステップＳ８０５は、ステップＳ４０３と同様である。
ステップＳ８０６は、ステップＳ４０４と同様である。
ステップＳ８０７は、ステップＳ４０５と同様である。
ステップＳ８０８では、機能指示管理モジュール１６５は、ステップＳ８０３、ステップＳ８０７で抽出された位置情報と機能指示に関する情報とを対応させて、レーザポインタの識別子毎にまとめてＰＣ１４に対して出力する。
【００５０】
なお、上記第２の実施の形態では、レーザポインタから送信した機能指示を機能指示受信モジュール１６３が受信して、その受信した情報のみから機能に関する情報を抽出していたが、第１の実施の形態の如く、レーザポインタは、機能指示に応じて、発光の形態を変更し、ポインタ解析モジュール１６は、スクリーン１１上のレーザ光線等による像の形態から機能に関する情報を抽出してもよい。その場合は、機能に関する情報は二重のチェックとなる。さらに、出席者にとっても、どのような機能を指示したかがスクリーン１１上の像として現れることとなる。
【００５１】
なお、説明したプログラムについては、記録媒体に格納することも可能であり、その場合は、例えば以下の発明としても把握することができる。
計算機に、
発光装置の発光によって発生する像を含めた画像を入力する画像入力機能と、
前記画像入力機能によって入力された画像から、前記発光によって発生する像の位置情報を抽出する位置情報抽出機能と、
前記画像入力機能によって入力された画像から、前記発光によって発生する像の形態を抽出することによって、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラムを記録した計算機読み取り可能な記録媒体。
【００５２】
計算機に、
発光指示送信装置による発光によって発生する像を含めた画像を入力する画像入力機能と、
前記画像入力機能によって入力された画像から、前記発光機能による発光によって発生する像の位置情報を抽出する位置情報抽出機能と、
前記発光指示送信装置によって送信された機能指示を受信する機能指示受信機能と、
前記発光指示送信装置によって受信された機能指示に応じて、操作者による機能指示を抽出する機能指示抽出機能と、
前記位置情報抽出機能によって抽出された位置情報および前記機能指示抽出機能によって抽出された機能指示を出力する機能指示出力機能
を実現させることを特徴とする機能指示解析プログラムを記録した計算機読み取り可能な記録媒体。
【００５３】
「プログラムを記録した計算機読み取り可能な記録媒体」とは、プログラムのインストール、実行、プログラムの流通などのために用いられる、プログラムが記録された計算機で読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００５４】
【図１】プレゼンテーションシステムの第１の実施の形態の一構成例を示すブロック図である。
【図２】プレゼンテーションシステムを用いる場面での全体の概要例を示すブロック図である。
【図３】プレゼンテーションシステム内で用いられる計算機のハードウェア構成例を示すブロック図である。
【図４】第１の実施の形態であるプレゼンテーションシステムの処理例を示すフローチャートである。
【図５】レーザパターンとレーザポインタ識別子との対応関係で表すデータ構造を説明する図である。
【図６】レーザ色と機能との対応関係で表すデータ構造を説明する図である。
【図７】プレゼンテーションシステムの第２の実施の形態の一構成例を示すブロック図である。
【図８】第２の実施の形態であるプレゼンテーションシステムの処理例を示すフローチャートである。
【符号の説明】
【００５５】
１１…スクリーン
１２Ａ…レーザポインタ
１２Ｂ…レーザポインタ
１３…プロジェクタ
１４…ＰＣ
１５…カメラ
１６…ポインタ解析モジュール
１２１…ポインタ操作モジュール
１２２…発光モジュール
１２３…発光指示モジュール
１２４…機能指示送信モジュール
１２５…機能指示入力モジュール
１５１…受光モジュール
１６１…画像処理モジュール
１６２…位置情報抽出モジュール
１６３…機能指示受信モジュール
１６４…機能指示抽出モジュール
１６５…機能指示管理モジュール
【図１】
2008033389.tif 000003
【図２】
2008033389.tif 000004
【図３】
2008033389.tif 000005
【図４】
2008033389.tif 000006
【図５】
2008033389.tif 000007
【図６】
2008033389.tif 000008
【図７】
2008033389.tif 000009
【図８】
2008033389.tif 000010